(57)【要約】【課題】無線方式の変更を容易に行えるハンディーターミナルを提供することを目的とする。【解決手段】ハンディーターミナル１において、本体ケース１９に収納され情報処理部が設けられた主基板１７と、基地局と無線通信を行う通信部３とを有し、前記通信部３が前記主基板１７とは異なる副基板１８に設けられ、主基板１７に設けられた副基板接続用端子７に直接または間接的に接続されている。そのため、無線方式を変更するときは、主基板１７を共通として、副基板１８のみを変更することで可能になる。【選択図】  図１
2004266429.tif 000002
【特許請求の範囲】
【請求項１】
本体ケースと、前記本体ケースに収納され、情報処理部を設けた主基板と、前記本体ケースに収納され、外部との通信を行う通信部とを有し、前記通信部は前記主基板とは異なる副基板に設け、かつ前記主基板の接続用端子を介して前記情報処理部に接続したことを特徴とするハンディーターミナル。
【請求項２】
本体ケースと、前記本体ケースに収納し、主基板に設けた情報処理部と、前記本体ケースに収納し、前記主基板とは別個の副基板に設けて外部との通信を行う通信部とを備え、前記通信部は前記情報処理部と前記主基板の接続用端子を介して接続し、かつ通信方式に応じて副基板を前記主基板の接続用端子に接続したことを特徴とするハンディーターミナル。
【請求項３】
前記情報処理部は、通信方式の異なる通信部に対して共通であることを特徴とする請求項１または２記載のハンディーターミナル。
【請求項４】
前記通信部は、通信方式として、スペクトラム拡散無線（Ｓｐｒｅａｄ  Ｓｐｅｃｔｒｕｍ無線）、またはＰＨＳ無線、またはブルートゥース（Ｂｌｕｅｔｏｏｔｈ）無線方式を使用していることを特徴とする請求項１から３のいずれかに記載のハンディーターミナル。
【請求項５】
前記通信部は、通信方式として、ＲＦ−ＩＤ（Ｒａｄｉｏ  Ｆｒｅｑｕｅｎｃｙ  Ｉｄｅｎｔｉｆｉｃａｔｉｏｎ）方式の無線通信であることを特徴とする請求項１から３のいずれかに記載のハンディーターミナル。
【請求項６】
前記副基板の通信部は、前記副基板にメモリカードが装着可能な端子を有することを特徴とする請求項１から５のいずれかに記載のハンディーターミナル。
【請求項７】
前記副基板の端子は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カード、またはＣＦ（Ｃｏｍｐａｃｔ  Ｆｌａｓｈ）カード、またはＳＤ（Ｓｅｃｕｒｉｔｙ  Ｄｉｇｉｔａｌ）カードが装着可能であること特徴とする請求項６に記載のハンディーターミナル。
【請求項８】
前記主基板に設けた接続用端子は、ＰＣＭＣＩＡ  Ｉ／Ｆ、ＣＦ  Ｉ／Ｆ、ＳＤ  Ｉ／Ｆのうちで少なくとも１つ以上のＩ／Ｆを有することを特徴とする請求項１から７のいずれかに記載のハンディーターミナル。
【請求項９】
前記情報処理部は、副基板の通信部の識別が可能であることを特徴とする請求項１から８のいずれか１項に記載のハンディーターミナル。
【請求項１０】
前記情報処理部の主基板は接続用端子のピンのうち、少なくとも１本以上のピンを前記情報の識別に使用することを特徴とする請求項９に記載のハンディーターミナル。
【請求項１１】
前記情報の識別に使用されるピンの各１本の状態が、前記情報のある特定の情報の１つを決定することを特徴とする請求項１０に記載のハンディーターミナル。
【発明の詳細な説明】
【０００１】
【発明の属する技術分野】
本発明は、情報を読み取る機能を有し、かつ読み取った情報等を無線によるデータ通信が可能な情報読取装置としてのハンディーターミナルに関するものである。
【０００２】
【従来の技術】
従来のハンディーターミナルは、内蔵したアンテナを用いて読み取った情報を基地局へ送信するため、基地局との間でデータ通信を行うものがあった。図８は従来のハンディーターミナルの構成を示す図である。
【０００３】
図８に示すように従来のハンディーターミナル２０は、ケース２５を有し、前記ケース２５内に主基板２３とアンテナ基板２４が内装され、前記主基板２３には情報を読み取るスキャナ部１６と、表示部１４と、キー入力部１３と、無線通信を行う通信部３と、読み取った情報を格納するメモリ部１５と、前記スキャナ部１６と表示部１４とキー入力部１３と通信部３の制御を行う制御部１１と、前記各部へ電源を供給する電源部１２と、前記アンテナ基板２４と接続するための主基板アンテナ端子２１を備えている。
【０００４】
また、前記アンテナ基板２４には、アンテナを設けているアンテナ部６と、主基板２３と接続するための副基板アンテナ端子２２を備えている（例えば、特許文献１参照）。前記スキャナ部１６には、例えばバーコードや２次元コードの読み取りのため、スキャナが設けられている。そして、一般に通信部には無線モジュールが設けられていて、例えば無線通信方式として、ブルートゥース（以下、ｂｌｕｅｔｏｏｔｈという）を使う場合には、ｂｌｕｅｔｏｏｔｈに対応した無線モジュールが前記通信部３に設けられている。
【０００５】
近年、無線通信にはＰｅｒｓｏｎａｌ  Ｈａｎｄｙｐｈｏｎｅ  Ｓｙｓｔｅｍ無線（以下、ＰＨＳ無線という）や、スペクトラム拡散無線（Ｓｐｒｅａｄ  Ｓｐｅｃｔｒｕｍ、以下、ＳＳ無線という）等さまざまな方式が提案され、ユーザの要望も多様化してきている。また、情報読み取りにもバーコードや２次元コードに加えて、読み取りだけでなく書き込みも可能な、無線周波を利用した非接触による情報識別（Ｒａｄｉｏ  Ｆｒｅｑｕｅｎｃｙ  Ｉｄｅｎｔｉｆｉｃａｔｉｏｎ、以下、ＲＦ−ＩＤという）の用途も増加してきている。このような異なる無線通信を使用するには、図８における前記通信部３と前記アンテナ部６に対応する無線モジュールやアンテナを設ける必要がある。
【０００６】
しかしながら、従来のハンディーターミナル２０の構成では、通信部３が主基板２３側に設けられ、一方、アンテナ部６が主基板２３に電気的に接続されている（主基板アンテナ端子２１に副基板アンテナ端子２２を差し込んで接続する）アンテナ基板２４側に設けられている。したがって、ハンディーターミナル２０は上記したような異なる無線通信方式を使うには、主基板２３とアンテナ基板２４の両方を交換することになるため、情報を読取る形態である無線通信方式の変更は非常に困難になるという問題が生ずる。
【０００７】
【特許文献１】
特開２００１−２２８８２号公報
【０００８】
【発明が解決しようとする課題】
上記従来の技術の問題点に鑑み、本発明が解決しようとする課題は、通信方式の形態を変える場合でも、容易に行えるハンディーターミナルを提供することにある。
【０００９】
【課題を解決するための手段】
このような課題を解決するために第１の本発明のハンディーターミナルは、本体ケースと、前記本体ケースに収納され、情報処理部を設けた主基板と、前記本体ケースに収納され、外部との通信を行う通信部とを有し、前記通信部は前記主基板とは異なる副基板に設け、かつ前記主基板の接続用端子を介して前記情報処理部に接続したものである。
【００１０】
また、第２の本発明のハンディーターミナルは、本体ケースと、前記本体ケースに収納し、主基板に設けた情報処理部と、前記本体ケースに収納し、前記主基板とは別個の副基板に設けて外部との通信を行う通信部とを備え、前記通信部は前記情報処理部に前記主基板の接続用端子を介して接続し、かつ通信方式に応じて前記副基板を前記主基板の接続用端子に接続したものである。
【００１１】
また、第３の本発明のハンディーターミナルは、前記情報処理部を、通信方式の異なる通信部に対して共通に構成したものである。
【００１２】
また、第４の本発明のハンディーターミナルは、前記通信部の通信方式として、スペクトラム拡散無線（Ｓｐｒｅａｄ  Ｓｐｅｃｔｒｕｍ無線、以下ＳＳ無線という）、またはＰＨＳ無線、またはＢｌｕｅｔｏｏｔｈ無線方式を使用する構成にしたものである。
【００１３】
また、第５の本発明のハンディーターミナルは、前記通信部の通信方式として、ＲＦ−ＩＤ（Ｒａｄｉｏ  Ｆｒｅｑｕｅｎｃｙ  Ｉｄｅｎｔｉｆｉｃａｔｉｏｎ）方式を使用する構成にしたものである。
【００１４】
また、第６の本発明のハンディーターミナルは、副基板の通信部が、前記副基板にメモリカードが装着可能な端子を有するものである。
【００１５】
また、第７の本発明のハンディーターミナルは、前記副基板の端子が、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カード、またはＣＦ（Ｃｏｍｐａｃｔ  Ｆｌａｓｈ）カード、またはＳＤ（Ｓｅｃｕｒｉｔｙ  Ｄｉｇｉｔａｌ）カードを装着可能に構成したものである。
【００１６】
また、第８の本発明のハンディーターミナルは、前記主基板に設けた接続用端子が、ＰＣＭＣＩＡ  Ｉ／Ｆ、ＣＦ  Ｉ／Ｆ、ＳＤ  Ｉ／Ｆのうちで少なくとも１つ以上のＩ／Ｆを有する構成にしたものである。
【００１７】
また、第９の本発明のハンディーターミナルは、前記情報処理部を、副基板の通信部の識別が可能である構成としたものである。
【００１８】
また、第１０の本発明のハンディーターミナルは、前記情報処理部の主基板における接続用端子のピンのうち、少なくとも１本以上のピンを前記情報の識別に使用する構成にしたものである。
【００１９】
また、第１１の本発明のハンディーターミナルは、前記情報の識別に使用されるピンの各１本の状態が、前記情報のある特定の情報の１つを決定する構成にしたものである。
【００２０】
【発明の実施の形態】
上記した本発明の目的は、各請求項に記載した構成を実施の形態の要部とすることにより達成できるのであるが、以下には請求項１ないし１１に対応する具体的な実施の形態を図１〜図７にしたがい説明し、その構成による作用効果を併記して本発明における実施の形態の説明とする。
【００２１】
（実施の形態１）
図１は、本発明の実施の形態１におけるハンディーターミナルの構成を示す図である。なお、本実施の形態では従来の技術と同一構成並びに作用効果を奏する構成には同じ符号を付している。
【００２２】
ハンディーターミナル１は、本体ケース１９を有し、前記本体ケース１９内に情報処理部（後述する）を設けた主基板１７、外部と通信を行う通信部（後述する）を設け、通信部を主基板１７と別の副基板１８に設けている。副基板１８は、特定の目的を持って、例えばハンディーターミナル１の通信方式を変更したい時に交換できるようにした前記通信部である、主基板１７に交換可能に接続するための主基板接続用端子２と、データの変復調や電力増幅を行う、例えばＳＳ無線、またはＰＨＳ無線、またはＢｌｕｅｔｏｏｔｈ無線方式、またはＲＦ−ＩＤ方式の無線通信のある特定の通信部３と、通信部３の状態、つまり前記無線通信方式の複数種類の中のいずれかを識別するために前記主基板接続用端子２の端子処理を行う端子処理部４と、アンテナを設けている送信と受信可能なアンテナ部６を備えている。
【００２３】
一方、主基板１７には、特定の目的を持って、例えばハンディーターミナル１を複数種類の通信方式に変更したい時に、各通信方式に対応させて用意した複数の副基板１８を変更しても、これら副基板に対し共通に使用できる前記情報処理部が設けられ、この情報処理部を構成する、副基板１８の主基板接続用端子２と接続するための副基板接続用端子７と、主基板接続用端子２を通じて副基板接続用端子７の端子状態により副基板１８の通信部３の状態（複数種類の通信方式のうちのいずれかを識別する）を識別する識別部８と、バーコードを読み取るスキャナ部１６と、文字や図形を表示するための表示部１４と、データを入力するためのキー入力部１３と、スキャナ部１６で読み取ったバーコード情報を格納するメモリ部１５と、前記各部へ電源を供給する電源部１２を備えている。
【００２４】
そして、対をなす副基板接続用端子７と主基板接続用端子２とは凹状と凸状の多数の信号伝送用のピンで以って着脱可能に構成され、これらの端子を互いに接続することで主基板１７と副基板１８の間はデータ伝送可能に接続される。
【００２５】
さらに端子処理部４は、特定の通信方式の通信部３を副基板１８に設けて、この副基板１８が特定の通信方式の副基板であると設定されると、主基板接続用端子２のうち、例えば３本のピン７１ｂ、ピン７２ｂ、ピン７３ｂを伝送信号のハイ（以下、Ｈという）またはロー（以下、Ｌという）に割り振りし、その値ＨまたはＬに固定する端子処理を行うもので、結果としては予め通信方式毎に設定することを端子処理部としているものである。ここでは、例えば端子処理が全てグランドへ接続され、ピン７１ｂ、ピン７２ｂ、ピン７３ｂはすべて伝送信号の値がロー（以下、Ｌという）となっている。なお、ここでは３本のピン７１ｂ〜７３ｂを伝送信号用としては使用しない。
【００２６】
以上のように構成されたハンディーターミナル１について、その動作を説明する。まず、スキャナ部１６で読み取ったバーコードや、キー入力部１３により入力されたデータは、制御部１１へ送られ、制御部１１において前記データ処理が行われ、前記処理されたデータは表示部１４に表示されたりメモリ１５へ格納され、さらには外部である基地局（図示せず）へ送信するために、前記処理されたデータは副基板接続用端子７、主基板接続用端子２を経て通信部３へ送られ、前記通信部３により変調、電力増幅が行われて電波が発生し、アンテナ部６により電波を基地局（図示せず）へ発射させる。
【００２７】
また、前記基地局からのデータを受信するときは、前記基地局から発射された電波を前記アンテナ部６で受信し、受信された信号は通信部３で復調され、復調された信号は受信データとして主基板接続用端子２、副基板接続用端子７を経て制御部１１でデータ処理が行われ、処理されたデータは表示部１４に表示したり、メモリ１５へ格納される。
【００２８】
さらに、副基板１８の主基板接続用端子２のピン７１ｂ、ピン７２ｂ、ピン７３ｂと接続されている主基板１７の副基板接続用端子のピン７１ａ、ピン７２ａ、ピン７３ａの状態により、識別部８は副基板１８の状態を識別し、その識別情報を制御部１１へ伝える。すなわち、ある特定の通信方式を使用するハンディーターミナルにするため副基板１８が選ばれて、主基板１７と副基板１８が正しく接続されていれば、識別部８は主基板１７に設けている副基板接続用端子７のピン７１ａ、ピン７２ａ、ピン７３ａが、主基板接続用端子２の端子処理された通り全てＬとなっていることを識別する。しかし、識別部８が端子処理された通りでなく、ピン７１ａ、ピン７２ａ、ピン７３ａのうち、少なくとも１本がＬとならなかったと識別すれば、主基板１７に副基板１８が正しく接続されていないことになる。
【００２９】
このように、ピン７１ａ、ピン７２ａ、ピン７３ａの状態を主基板１７側の識別部８で観測することにより、副基板１８の状態を、つまり、ハンディーターミナルの通信方式を変更するための副基板であるかどうか、または、ハンディーターミナルの通信方式を容易に変更できるようにすることとは関係なく、副基板が主基板に正しく接続されているかどうかである、主基板接続用端子２と副基板接続用端子７のピン同士の機械的な接続の状態も、識別することができる。したがって、前記主基板１７は、例えば電源投入時に副基板１８を動作させることなく副基板１８との接続状態を判別できる。
【００３０】
また副基板接続用端子７と主基板接続用端子２との接続は、基板対基板の接続法でも、ハーネスによる接続法のいずれの方法を使用しても同様の効果を得ることができる。
【００３１】
なお、本実施の形態では状態観測に３本のピンを使用したが、少なくとも１本のピンを使用することで本実施の形態と同様の効果を得られることは言うまでもない。
【００３２】
（実施の形態２）
図２（ａ）は、本発明の実施の形態２におけるＰＨＳ無線方式のハンディーターミナルの構成図で、図２（ｂ）、（ｃ）はＳＳ無線用の副基板、ｂｌｕｅｔｏｏｔｈ無線用の副基板をそれぞれ示す構成図である。本実施の形態は、通信方式に応じて交換する副基板を具体的に例示したもので、実施の形態１と同様の構成並びに作用効果を奏する部分には同一の符号を付して詳細な説明を省略し、異なるところを中心に説明する。
【００３３】
図２（ａ）〜（ｃ）において、ハンディーターミナル１は使用する無線通信方式に応じて副基板を、例えばＰＨＳ無線用は副基板１８ａ、ＳＳ無線用は副基板１８ｂ、ｂｌｕｅｔｏｏｔｈ無線用は副基板１８ｃの複数枚有するものである。ＰＨＳ無線用の副基板１８ａには、主基板１７と接続するための主基板接続用端子２ａと、ＰＨＳ無線によるデータの変復調や電力増幅を行うＰＨＳ通信部３ａと、ＰＨＳ用アンテナが設けられているＰＨＳアンテナ部６ａを備えている。
【００３４】
ＳＳ無線用の副基板１８ｂには、主基板１７と接続するための主基板接続用端子２ｂと、ＳＳ無線によるデータの変復調や電力増幅を行うＳＳ通信部３ｂと、ＳＳ用アンテナが設けられているＳＳアンテナ部６ｂを備えている。
【００３５】
ｂｌｕｅｔｏｏｔｈ無線用の副基板１８ｃには、主基板１７と接続するための主基板接続用端子２ｃと、ｂｌｕｅｔｏｏｔｈ無線によるデータの変復調や電力増幅を行うｂｌｕｅｔｏｏｔｈ無線用の通信部であるＢＴ通信部３ｃと、ＢＴ用アンテナが設けられているＢＴアンテナ部６ｃを備えている。
【００３６】
主基板接続用端子２ａ、主基板接続用端子２ｂ、主基板接続用端子２ｃは、それぞれ共通の端子数を有する構成となっており、主基板１７の副基板接続用端子７は主基板接続用端子２ａ、２ｂ、２ｃと相互に接続される構成を備え、さらに、それぞれの主基板接続用端子２ａ、２ｂ、２ｃのうち、予め設定した共通の３本のピン７１ｂ、ピン７２ｂ、ピン７３ｂが、端子処理部４で図３に示すように端子処理されている。
【００３７】
すなわち、ＰＨＳ無線の時は、主基板接続用端子２ａのピン７１ｂ＝Ｈ、ピン７２ｂ＝Ｌ、ピン７３ｂ＝Ｌ、ＳＳ無線の時は主基板接続用端子２ｂのピン７１ｂ＝Ｈ、ピン７２ｂ＝Ｌ、ピン７３ｂ＝Ｈ、ｂｌｕｅｔｏｏｔｈ無線の時は主基板接続用端子２ｃのピン７１ｂ＝Ｈ、ピン７２ｂ＝Ｈ、ピン７３ｂ＝Ｌとなるよう（Ｈは電源へ、Ｌはグランドへ接続）に端子処理部４が主基板接続用端子２ａ、２ｂ、２ｃの端子処理を行う構成をもつものである。
【００３８】
上記実施の形態において、ハンディーターミナルは無線通信方式を変更する時には、本体ケース１９に収納した主基板１７は共通のままで、副基板接続用端子７に主基板接続用端子２ａ、２ｂ、２ｃのいずれかを着脱して、副基板１８ａ、１８ｂ、１８ｃのいずれかを接続するものである。したがって、ハンディーターミナルは主基板１７の情報処理部を変更することなく、副基板側の通信部を交換するだけで異なる無線通信方式を使用することができ、従来のように無線方式を変更するときに大幅な変更をする必要がなくなる。
【００３９】
さらに、主基板１７の副基板接続用端子７のピン７１ａ、７２ａ、７３ａは、図３に示す主基板接続用端子２ａ、２ｂ、２ｃのピン７１ｂ、ピン７２ｂ、ピン７３ｂへの端子処理に基づいた無線通信方式によりそれぞれ異なる状態となるので、ピン７１ａ、７２ａ、７３ａの状態により、どの無線通信方式の副基板が接続されているのかを識別部８で識別することができる。
【００４０】
また、主基板接続用端子２ａ、２ｂ、２ｃのピン７１ｂ、ピン７２ｂ、ピン７３ｂへの状態の割り振り方は、前記各ピンの各１本にそれぞれ１つの状態を割り振ることを行う方法があり、すなわち、端子処理部４が、図４に示すようにＰＨＳ無線の時は主基板接続用端子２ａのピン７１ｂ＝Ｌ、ピン７２ｂ＝Ｌ、ピン７３ｂ＝Ｈ、ＳＳ無線の時は主基板接続用端子２ｂのピン７１ｂ＝Ｌ、ピン７２ｂ＝Ｈ、ピン７３ｂ＝Ｌ、ｂｌｕｅｔｏｏｔｈ無線の時は主基板接続用端子２ｃのピン７１ｂ＝Ｈ、ピン７２ｂ＝Ｌ、ピン７３ｂ＝Ｌとなるように主基板接続用端子２ａ、２ｂ、２ｃの端子処理を行う構成にすると、各無線通信方式において主基板接続用端子２ａ、２ｂ、２ｃのピン７１ｂ、７２ｂ、７３ｂのうち、いずれか１つのピンがＨとなるので、もしピン７１ｂ、７２ｂ、７３ｂのうち、２つ以上のピンがＨとなっていれば、副基板に異常があることが識別できる。
【００４１】
（実施の形態３）
図５は、本発明の実施の形態３におけるハンディーターミナルの構成を示す図である。本実施の形態は、実施の形態２で説明した３種類の無線通信方式に、さらにＲＦ−ＩＤの通信方式を加えた４種類の副基板を交換可能に備え、さらにＲＦ−ＩＤ式の副基板の具体例を示したもので、実施の形態２と同様の構成並びに作用効果を奏する部分には同一の符号を付して詳細な説明を省略し、異なるところを中心に説明する。
【００４２】
図５において、副基板１８ｄには、主基板１７と接続するための主基板接続用端子２ｄと、ＲＦ−ＩＤによるデータの読み書きを行うＲＦ−ＩＤ通信部３ｄと、ＲＦ−ＩＤ用アンテナが設けられているＲＦ−ＩＤアンテナ部６ｄを備えている。図２（ａ）〜（ｃ）の副基板１８ａ〜１８ｃの主基板接続用端子２ａ、主基板接続用端子２ｂ、主基板接続用端子２ｃと、図５に示す主基板接続用端子２ｄは、それぞれ共通の端子数を有する構成となっており、主基板１７の副基板接続用端子７は、図２（ａ）に示すＰＨＳ無線用の副基板１８ａの主基板接続用端子２ａ、図２（ｂ）に示すＳＳ無線用の副基板１８ｂの主基板接続用端子２ｂ、図２（ｃ）に示すｂｌｕｅｔｏｏｔｈ無線用の副基板１８ｃの主基板接続用端子２ｃと、図５に示すＲＦ−ＩＤ用の副基板１８ｄの主基板接続用端子２ｄと相互に接続される構成を備えている。
【００４３】
さらに、それぞれの主基板接続用端子２ａ、２ｂ、２ｃ、２ｄのうち、予め設定した共通の３本のピン７１ｂ、ピン７２ｂ、ピン７３ｂが、端子処理部４で図３に示すように端子処理されている。
【００４４】
すなわち、図３に示すようにＲＦ−ＩＤ無線の時は、主基板接続用端子２ｄのピン７１ｂ＝Ｌ、ピン７２ｂ＝Ｌ、ピン７３ｂ＝Ｌ、ＰＨＳ無線の時は、主基板接続用端子２ａのピン７１ｂ＝Ｈ、ピン７２ｂ＝Ｌ、ピン７３ｂ＝Ｌ、ＳＳ無線の時は主基板接続用端子２ｂのピン７１ｂ＝Ｈ、ピン７２ｂ＝Ｌ、ピン７３ｂ＝Ｈ、ｂｌｕｅｔｏｏｔｈ無線の時は主基板接続用端子２ｃのピン７１ｂ＝Ｈ、ピン７２ｂ＝Ｈ、ピン７３ｂ＝Ｌとなるよう（Ｈは電源へ、Ｌはグランドへ接続）に端子処理部４が主基板接続用端子２ａ、２ｂ、２ｃ，２ｄの端子処理を行う構成をもつものである。
【００４５】
上記実施の形態において、ハンディーターミナルは無線通信方式を変更する時には、本体ケース１９に収納した主基板１７は共通のままで、副基板接続用端子７に主基板接続用端子２ａ、２ｂ、２ｃ、２ｄのいずれかを着脱して、副基板１８ａ、１８ｂ、１８ｃ，１８ｄのいずれかを接続するものである。したがって、ハンディーターミナルは主基板１７の情報処理部を変更することなく、副基板側の通信部を交換するだけで異なる無線通信方式を使用することができ、従来のように無線方式を変更するときに大幅な変更をする必要がなくなる。
【００４６】
特に、副基板１８ｄを使用した時には、ＲＦ−ＩＤ（図示せず）へのデータの読み書きを行うことへの無線通信への変更をすることができるようになり、それによりバーコード、２次元コードやＲＦ−ＩＤの両方から情報が入力できるようになる。
【００４７】
さらに、主基板１７の副基板接続用端子７のピン７１ａ、７２ａ、７３ａは、図３に示す主基板接続用端子２ａ、２ｂ、２ｃ、２ｄのピン７１ｂ、ピン７２ｂ、ピン７３ｂへの端子処理に基づいた無線通信方式によりそれぞれ異なる状態となるので、ピン７１ａ、７２ａ、７３ａの状態により、どの無線通信方式の副基板が接続されているのかを識別部８で識別することができる。
【００４８】
（実施の形態４）
図６（ａ）は、本発明の実施の形態４におけるＰＣＭＣＩＡカードを使用するハンディーターミナルの構成図である。図６（ｂ）、（ｃ）はＳＤカードを使用する副基板、ＳＦカードを使用する副基板をそれぞれ示す構成図である。本実施の形態は、メモリーカード方式に応じて交換する副基板を具体的に例示したもので、実施の形態１と同様の構成並びに作用効果を奏する部分には同一の符号を付して詳細な説明を省略し、異なるところを中心に説明をする。
【００４９】
図６（ａ）〜（ｃ）において、本発明のハンディーターミナル１は本体ケース１９に収納した主基板１７と、この主基板１７を共通にして着脱可能に接続できる交換可能な複数の副基板１８ｅ、１８ｆ、１８ｇを備えている。副基板１８ｅには、通信部３とアンテナ部６を内蔵したＰＣＭＣＩＡカード１０ｅを装着するためのＰＣＭＣＩＡ用端子５ｅと主基板接続用端子２ｅを備え、前記副基板１８ｆには通信部３とアンテナ部６を内蔵したＳＤカード１０ｆを装着するためのＳＤ用端子５ｆと主基板接続用端子２ｆを備え、副基板１８ｇには通信部３とアンテナ部６を内蔵したＣＦカード１０ｇを装着するためのＣＦ用端子５ｇと主基板接続用端子２ｇを備えている。
【００５０】
情報処理部を設けた主基板１７には、ＰＣＭＣＩＡカード１０ｅ、ＳＤカード１０ｆ、ＣＦカード１０ｇを制御するメモリカード制御部９を備えている。さらに副基板２ｅ、２ｆ、２ｇの主基板接続用端子２ｅ、２ｆ、２ｇは、それぞれ共通の端子数を有し、かつ主基板接続用端子２ｅ、２ｆ、２ｇ内にはＰＣＭＣＩＡカード用Ｉ／Ｆ、ＳＤカード用Ｉ／Ｆ、ＣＦカード用Ｉ／Ｆをすべて含む構成となっている。
【００５１】
主基板１７の副基板接続用端子７は、主基板接続用端子２ｅ、２ｆ、２ｇと相互に接続される構成を備え、そして、それぞれの主基板接続用端子２ｅ、２ｆ、２ｇのうち、予め設定した共通の３本のピン７１ｂ、ピン７２ｂ、ピン７３ｂが、端子処理部４で図７に示すように端子処理されている。
【００５２】
図７に示すようにＰＣＭＣＩＡカード１０ｅの時は、副基板１８ｅの主基板接続用端子２ｅのピン７１ｂ＝Ｈ、ピン７２ｂ＝Ｌ、ピン７３ｂ＝Ｌ、ＳＤカード１０ｆの時は、主基板接続用端子２ｆのピン７１ｂ＝Ｈ、ピン７２ｂ＝Ｌ、ピン７３ｂ＝Ｈ、ＣＦカード１０ｇの時は主基板接続用端子２ｇのピン７１ｂ＝Ｈ、ピン７２ｂ＝Ｈ、ピン７３ｂ＝Ｌ、その他の時は主基板接続用端子（図示せず）のピン７１ｂ＝Ｌ、ピン７２ｂ＝Ｌ、ピン７３ｂ＝Ｌとなるよう（Ｈは電源へ、Ｌはグランドへ接続）に端子処理部４が主基板接続用端子２ｅ、２ｆ、２ｇの端子処理を行う構成となることが実施の形態１と異なる点である。
【００５３】
また本実施の形態では、通信部３とアンテナ部６はそれぞれ、装着するＰＣＭＣＩＡカード１０ｅ、ＳＤカード１０ｆ、ＣＦカード１０ｇに内蔵されているものとするが、アンテナ部がメモリカードに内蔵されていない場合は、副基板に前記アンテナ部６を設ければよい。
【００５４】
以上のように構成されたハンディーターミナル１について、その動作を説明する。主基板１７とＰＣＭＣＩＡカード端子が設けられた副基板１８ｅが接続されているとすると、主基板１７の副基板接続用端子７のピン７１ａ＝Ｈ、ピン７２ａ＝Ｌ、ピン７３ａ＝Ｌとなり、前記状態を観測することにより識別部８は接続された副基板はＰＣＭＣＩＡカード端子が設けられていることを識別し、制御部１１へ識別部８が識別した情報により、メモリカード制御部９にＰＣＭＣＩＡカードとのＩ／Ｆをするための制御信号を発生し、制御信号よりメモリカード制御部９は副基板１８ｅに設けられているＰＣＭＣＩＡカード１０ｅとのＩ／Ｆを始める。
【００５５】
したがって、ハンディーターミナル１の電源投入後に直ちに副基板接続用端子７の状態により、接続されているメモリカードの種類を検出することができる。さらに副基板接続用端子７と各主基板接続用端子２ｅ、２ｆ、２ｇは共通に接続できるため、副基板を交換することだけでメモリカードの種類を変更することができる。
【００５６】
また、近年メモリカードの上に無線通信機能を内蔵しているものも多数供給されてきているので、これらのメモリカードを変更するだけで無線通信方式の変更をすることができる。例えば、副基板１８に、ＳＳ無線通信機能付きメモリカードを設ければＳＳ無線通信を、ｂｌｕｅｔｏｏｔｈ無線通信機能付きメモリカードを設ければｂｌｕｅｔｏｏｔｈ無線通信を備えたハンディーターミナルとすることができる。
【００５７】
また、メモリカードには無線通信機能だけでなく、情報処理部側のメモリ１５の追加、もしくは予備のメモリとしても使用することができる。さらに副基板接続用端子７と主基板接続用端子２ｅ、２ｆ、２ｇには、ＰＣＭＣＩＡカード用Ｉ／Ｆ、ＳＤカード用Ｉ／Ｆ、ＣＦカード用Ｉ／Ｆをすべて含む構成となっているので、別種類のメモリカードを使用するときにも副基板だけを交換するだけで、容易にメモリカードの種類を変更することができる。
【００５８】
【発明の効果】
以上のように本発明のハンディーターミナルは、情報処理部を設けた主基板を共通として、主基板とは異なる副基板に設け、外部との通信を行う通信部を変更するだけで、例えば通信形態の変更を容易に行うことができる。
【図面の簡単な説明】
【図１】本発明の実施の形態１におけるハンディーターミナルを示す構成図
【図２】（ａ）本発明の実施の形態２におけるハンディーターミナルを示す構成図
（ｂ）同実施の形態２におけるハンディーターミナルの副基板を示す構成図
（ｃ）同実施の形態２におけるハンディーターミナルの副基板を示す構成図
【図３】同実施の形態２におけるハンディーターミナルの副基板の主基板接続用端子において無線通信方式との関係での端子処理図
【図４】同実施の形態２におけるハンディーターミナルの副基板の主基板接続用端子において無線通信方式との関係での他の端子処理図
【図５】本発明の実施の形態３におけるハンディーターミナルを示す構成図
【図６】（ａ）本発明の実施の形態４におけるハンディーターミナルを示す構成図
（ｂ）同実施の形態４におけるハンディーターミナルの副基板を示す構成図
（ｃ）同実施の形態４におけるハンディーターミナルの副基板を示す構成図
【図７】同実施の形態４におけるハンディーターミナルの副基板の主基板接続用端子においてメモリーカード種類との関係での端子処理図
【図８】従来のハンディーターミナルにおける構成を示す図
【符号の説明】
２、２ａ、２ｂ、２ｃ  主基板接続用端子
２ｄ、２ｅ、２ｆ、２ｇ  主基板接続用端子
３  通信部
３ａ  ＰＨＳ通信部
３ｂ  ＳＳ通信部
３ｃ  ＢＴ通信部
３ｄ  ＲＦ−ＩＤ通信部
４  端子処理部
５  ＰＣＭＣＩＡ用端子
５ｆ  ＳＤ用端子
５ｇ  ＣＦ用端子
６  アンテナ部
７  副基板接続用端子
８  識別部
１０ｅ  ＰＣＭＣＩＡカード
１０ｆ  ＳＤカード
１０ｇ  ＣＦカード
１７  主基板
１８、１８ａ、１８ｂ、１８ｃ  副基板
１８ｄ、１８ｅ、１８ｆ、１８ｇ  副基板
７１ｂ、７２ｂ、７３ｂ  ピン
【図１】
2004266429.tif 000003
【図２】
2004266429.tif 000004
【図３】
2004266429.tif 000005
【図４】
2004266429.tif 000006
【図５】
2004266429.tif 000007
【図６】
2004266429.tif 000008
【図７】
2004266429.tif 000009
【図８】
2004266429.tif 000010